(57)【要約】      （修正有）【課題】地中に打込んだ耐荷板が緩み難く、安定したアンカー耐力を確保しつつ、使用目的の達成後に引張索を簡単に撤去できるプレート式アンカー装置を提供する。【解決手段】プレート式アンカー装置１０は、鋭形状を呈する耐荷板２０と、耐荷板２０に抜き取り可能に折り返して係留した引張索３０とを具備し、耐荷板２０が逆三角形を呈する貫入部２１と、貫入部の上辺の両端部に延設した一対の拡翼２２、２２とを具備し、耐荷板２０に引張索３０の折返部を係留した。【選択図】図１
0003233819.tif 000002
【実用新案登録請求の範囲】
【請求項１】
プレート式アンカー装置であって、
先鋭形状を呈する耐荷板と、
前記耐荷板に抜き取り可能に折り返して係留した引張索とを具備し、
前記耐荷板が逆三角形を呈する貫入部と、
前記貫入部の上辺の両端部に延設した一対の拡翼とを具備し、
前記引張索の折返部に耐荷板を係留したことを特徴とする、
プレート式アンカー装置。
【請求項２】
前記耐荷板を構成する一対の拡翼がＶ字形に拡開していることを特徴とする、請求項１に記載のプレート式アンカー装置。
【請求項３】
前記耐荷板を構成する貫入部と一対の拡翼が一体に形成されていることを特徴とする、請求項１または２に記載のプレート式アンカー装置。
【請求項４】
前記耐荷板が鋼板製であることを特徴とする、請求項１乃至３の何れか一項に記載のプレート式アンカー装置。
【請求項５】
前記耐荷板の一部にガイド孔を開設し、該複数のガイド孔に引張索を挿通して係留したことを特徴とする、請求項１乃至４の何れか一項に記載のプレート式アンカー装置。
【請求項６】
前記引張索が鋼線または鋼製ロープ材であることを特徴とする、請求項１に記載のプレート式アンカー装置。
【考案の詳細な説明】
【技術分野】
【０００１】
本考案は使用目的の達成後に引張索の撤去が可能なプレート式アンカー装置に関する。
【背景技術】
【０００２】
法面への金網や覆工マットの固定、テントや農業用ハウスのシートの固定等の用途に広くアンカーピンが利用されている。
従来のアンカーピンは鋼棒製で、鋼棒の頭部をＪ字状又はＬ字状に屈曲し、その先端を先鋭に形成している。
アンカーピンの抜け止め性を高めるため、特許文献１には鋼棒の軸方向に沿って複数のテーパ部を連設することが開示され、特許文献２には鋼棒の先端部に羽根状の抜止防止材を付設することが開示され、特許文献３には鋼棒の先端に設ける抜止防止材を線材で形成することが開示されている。
【先行技術文献】
【特許文献】
【０００３】
【特許文献１】特開平１１−２０９９７５号公報
【特許文献２】特開２０１２−２６１４４号公報
【特許文献３】特開２０１４−５８７８１号公報
【考案の概要】
【考案が解決しようとする課題】
【０００４】
従来技術のアンカーピンは以下の問題点を内包している。
＜１＞特許文献１〜３に開示のアンカーピンは、引抜抵抗が小さいためにアンカーピンが緩み易い。さらにアンカーピンの全体にメッキ等の防錆処理を施すことから、製造コストが嵩むといった問題点がある。
＜２＞特許文献１〜３に開示のアンカーピンは、抜き取ることを前提としていない。
そのため、使用目的を完了した場合にアンカーピンを地中に残置したまま放置すると、アンカーピンが障害物となる。アンカーピンを強制的に撤去するには機械的な大きな抜取力を必要とする。
【０００５】
本考案は以上の点に鑑みてなされたものであり、以上のような問題点を解決できるプレート式アンカー装置を提供することを目的とする。
【課題を解決するための手段】
【０００６】
本考案は、プレート式アンカー装置であって、先鋭形状を呈する耐荷板と、前記耐荷板に抜き取り可能に折り返して係留した引張索とを具備し、前記耐荷板が逆三角形を呈する貫入部と、前記貫入部の上辺の両端部に延設した一対の拡翼とを具備し、前記引張索の折返部に耐荷板を係留してある。
本考案の他の形態において、前記耐荷板を構成する一対の拡翼がＶ字形に拡開している。
本考案の他の形態において、前記耐荷板を構成する貫入部と一対の拡翼が一体に形成されている。
本考案の他の形態において、前記耐荷板が鋼板製である。
本考案の他の形態において、前記耐荷板の一部にガイド孔を開設し、該複数のガイド孔に引張索を挿通して係留してある。
本考案の他の形態において、前記引張索が鋼線または鋼製ロープ材である。
【考案の効果】
【０００７】
本考案は少なくともつぎのひとつの効果を奏する。
＜１＞地中に打込んだ耐荷板に反力を得て引張索を地中に固定することができる。
そのため、地中に打込んだ耐荷板が緩み難く、安定したアンカー耐力を確保することができる。
＜２＞耐荷板に対して引張索が抜き取り可能に係留してあるので、地表に露出する引張索の一方を引き抜くことで引張索を容易に撤去できる。
＜３＞引張索を撤去することで、引張索が障害物となる心配がなくなり、地盤の有効活用が図れる。
＜４＞耐荷板が一対のＶ字状に屈曲した拡翼を具備することで、打ち込み時に耐荷板が地中で旋回して貫入がし易くなるだけでなく、耐荷板の貫入時に周囲の土砂が乱され難い。
＜５＞引張索を緊張すると、耐荷板が旋回して一対の屈曲した拡翼が周囲の土砂に食い込むため、耐荷板の抜取抵抗力が増大する。
＜６＞従来のアンカーピンと比べて小型で、かつ、軽量であるため製造コストを大幅に低減できる。
【図面の簡単な説明】
【０００８】
【図１】一部を省略した本考案に係るプレート式アンカー装置の斜視図
【図２】地中を透明化した状態における耐荷板の打込時の説明図
【図３】打込治具の撤去後のプレート式アンカー装置の斜視図
【図４】引張索を撤去して耐荷板のみを地中に残置した説明図
【考案を実施するための形態】
【０００９】
以下、図面を参照しながら本考案について詳細に説明する。
【００１０】
＜１＞プレート式アンカー装置の全体構成（図１，２）
プレート式アンカー装置１０は、従来のアンカーピンの代替材であり、例えば金網、ロープ、ワイヤ、樹脂ネット、シート材の固定など様々な用途に使用できる。
【００１１】
本考案に係るプレート式アンカー装置１０は、先鋭形状を呈する耐荷板２０と、耐荷板２０に抜き取り可能に係留した引張索３０とを具備する。
さらに本考案ではプレート式アンカー装置１０を地中に貫入するために、打込治具４０を使用する。
【００１２】
＜２＞耐荷板（図１，２）
耐荷板２０は、逆三角形を呈する貫入部２１と、間隔を隔てて貫入部２１の上辺の両端部に延設した２枚の拡翼２２，２２とを具備する。
耐荷板２０は例えば一辺が５ｃｍ程度の方形板の一部を打抜き、一対の拡翼２２，２２を曲げ加工をするだけで簡単に製作できる。
【００１３】
＜２．１＞貫入部
貫入部２１は地中に貫入し易いように先鋭に形成する。
貫入部２１の先端部の大きさや先端角度は適宜選択する。
【００１４】
＜２．２＞ガイド孔
耐荷板２０の一部には、引張索３０を配索するための複数のガイド孔２３を開設する。
本例ではガイド孔２３を三箇所に開設した形態について説明するが、ガイド孔２３の形成数は適宜選択が可能である。
【００１５】
＜２．３＞拡翼
２枚の拡翼２２,２２は、それぞれ貫入部２１の板面の前後方向に屈曲していて、地中に貫入したときの引抜抵抗材として機能する。
耐荷板２０を側端面から見たときに、２枚の拡翼２２,２２がＶ字形に屈曲して拡開している。
【００１６】
２枚の拡翼２２,２２を互いに異なる方向に屈曲して形成したのは、地中に貫入する際に耐荷板２０に旋回力を発生させて地中Ｇへの貫入をし易くするためと、所定の抜取り抵抗を発揮させるためである。
【００１７】
２枚の拡翼２２,２２間に所定の間隔を設けたのは、２枚の拡翼２２,２２の間に打込治具４０を差し込むためである。
【００１８】
＜２．４＞拡翼の拡開角度
２枚の拡翼２２,２２の拡開角度を小さくすると、耐荷板２０の地中への貫入抵抗が小さくなる反面、耐荷板２０の抜き取り抵抗が小さくなる。
逆に２枚の拡翼２２,２２の拡開角度を大きくすると、耐荷板２０の抜き取り抵抗が大きくなる半面、耐荷板２０の地中への貫入抵抗が大きくなる。
そこで、２枚の拡翼２２,２２の拡開角度は、５０°〜７０°の範囲とし、実用上は６０°にすることが望ましい。
【００１９】
＜３＞引張索
引張索３０は耐荷板２０から地表の所定の高さまでの区間に亘って配索する可撓性を有する引張索であり、例えば鋼線や金属製ロープ材等が適用可能である。
【００２０】
＜４＞打込治具
打込治具４０は耐荷板２０を地中に嵌入するための専用治具であり、所定の長さを有する長軸４１と、長軸４１の上端に一体に形成したハンドル４２とを具備する。
長軸４１の下端部には、耐荷板２０の貫入部２１の上部を嵌合可能なスリット４３を有している。
打込治具４０は必須ではなく、他の棒状部材で代用することも可能である。
【００２１】
［プレート式アンカー装置の使用方法]
プレート式アンカー装置１０の使用方法について説明する。
【００２２】
＜１＞貫入準備（図１）
複数のガイド孔２３に引張索３０を挿通して耐荷板２０に引張索３０を二つ折りにした状態で係留する。
【００２３】
＜２＞打撃（図２）
耐荷板２０に打込治具４０のスリット４３を挟み込んだまま、貫入部２１を真下へ向けて打込治具４０の上端をハンマ工具等で打ち込む。
打込むことで耐荷板２０が地中Ｇに貫入すると共に、耐荷板２０に係留した引張索３０も地中Ｇに一緒に引き込まれる。
耐荷板２０の一部に一対の拡翼２２,２２がＶ字状に形成してあるので、打ち込み時に耐荷板２０が地中Ｇで旋回して貫入抵抗が小さくなるだけでなく、貫入時に土砂が乱され難い。
【００２４】
＜３＞打込治具の撤去（図３）
耐荷板２０を所定の深さまで打込んだら、打込治具４０を抜き取る。
打込治具４０はスリットを介して耐荷板２０に嵌合しているだけなので、打込治具４０を耐荷板２０から簡単に分離して撤去できる。
【００２５】
＜４＞プレート式アンカー装置の使用
地表に露出した引張索３０をアンカー部材として使用する。
引張索３０の露出部を使途に応じた被固定対象物に取り付けて固定する。
引張索３０を通じて耐荷板２０に抜取力が作用する。耐荷板２０の拡翼２２,２２による抜取抵抗が引張索３０の抜取力より大きい関係にあるので、耐荷板２０は地中Ｇから抜け出ない。
【００２６】
＜５＞引張索の撤去
プレート式アンカー装置１０の使用目的を達成した後は、地表に露出する引張索３０の一方を人力または機械力を加えて抜き取る。
地中の耐荷板２０の抜き取り抵抗力と引張索３０の抜取力を対比した場合、耐荷板２０の抜き取り抵抗力が大きいため、張索３０のみを抜き取ることができる。
したがって、耐荷板２０のみが地中Ｇに残置される。
地中Ｇから引張索３０を抜き取って撤去するので、引張索３０は地中Ｇの障害物にならない。
地中Ｇに残置した耐荷板２０が小サイズであるため、地中Ｇに残置しても耐荷板２０が障害物となる心配はない。
【符号の説明】
【００２７】
Ｇ・・・・地盤
１０・・・プレート式アンカー装置
２０・・・耐荷板
２１・・・貫入部
２２・・・拡翼
２３・・・ガイド孔
３０・・・引張索
４０・・・打込治具
４０・・・長軸
４２・・・ハンドル
４３・・・スリット
【図１】
0003233819.tif 000003
【図２】
0003233819.tif 000004
【図３】
0003233819.tif 000005
【図４】
0003233819.tif 000006